【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
取り外し可能な遠隔装置に電力を誘導結合で送るための１のワイヤレス電力供給システムであって、
電磁界を生成するための１の誘導性電力供給装置と；
第１電力移送面の上で前記遠隔装置を第１の方向に支持するための第１位置、及び、第２電力移送面の上で前記遠隔装置を第２の方向に支持するための第２位置との間で移動可能な１のクレードル（前記電力移送面の各々は前記電磁界において前記遠隔装置を支持するものである）と、
前記クレードルの上又は内部に配置された１の１次側（該１次側は前記誘導性電力供給装置に動作可能に接続され、前記電磁界を生成し、前記第１の方向又は前記第２の方向に配置されたときに、前記１次側は前記遠隔装置と誘導結合するように配置されている）；
と有するワイヤレス電力供給システム。
【請求項２】
前記クレードルは一般的にＪの形状である請求項１に記載のワイヤレス電力供給システム。
【請求項３】
前記クレードルは遠隔装置を受け入れる十分な幅を持つチャネルを規定する請求項２に記載のワイヤレス電力供給システム。
【請求項４】
前記チャネルは遠隔装置の幅に対応し、前記遠隔装置は前記チャネル内に密接して受け入れられる請求項３に記載のワイヤレス電力供給システム。
【請求項５】
前記クレードルは、前記チャネル内に配置される誘導性電力供給装置を有する請求項３に記載のワイヤレス電力供給システム。
【請求項６】
前記クレードルは第１の壁と第２の壁（前記第１の壁から離間している）を有し、前記第１の壁は実質的に前記第２の壁より長く、前記１次側は前記第１壁の中又は上に配置される請求項２のワイヤレス電力供給システム。
【請求項７】
前記第１の電力移送面は、前記クレードルが前記第１の方向にあるときに、遠隔装置を実質的にリクラインした位置で支持し
前記第２の電力移送面は前記クレードルが前記第２の方向にあるときに、遠隔装置を実質的にアップライトの位置で支持する、
請求項１に記載のワイヤレス電力供給システム。
【請求項８】
前記クレードルは移動可能な脚を持つ請求項７に記載のワイヤレス電力供給システム。
但し、前記脚は、前記クレードルを前記アップライト位置で支持する一つの開いた位置と、前記クレードルを前記リクラインの位置で支持する一つの閉じた位置との間で移動可能である。
【請求項９】
前記チャネルが、第１遠隔装置を受け入れる第１領域を定義し、第２遠隔装置を受け入れる第２領域を定義するように十分な長さを持ち、前記クレードルは、前記第１領域に隣接して配置される第１の１次側を持ち、第１電磁場を生成し、前記第１遠隔装置に電力を供給し、また、前記クレードルは前記第２領域に隣接して配置される２次側を持ち、第２電磁場を生成し、前記第２遠隔装置に電力を供給する、請求項３に記載のワイヤレス電力供給システム。
【請求項１０】
前記システムは複数のクレードルを有し、前記各クレードルは、電磁場を生成する少なくとも１の１次側を持ち、前記クレードルに配置される遠隔装置に電力を送り、前記クレードルの少なくとも１は、前記別のクレードルから電力を受け取る請求項１のワイヤレス電力供給システム。
【請求項１１】
請求項１に記載のワイヤレス電力供給システムであって、
前記ワイヤレス電力供給システムは、更に、第２番目の１次側を有し、
前記第１の１次側とは異なる位置のクレードルの上に、又は、の中に配置され、
前記第２の１次側は前記誘導性電力供給装置に動作可能に接続され、第２電磁界を生成する、ワイヤレス電力供給システム。
但し、前記第１の１次側と前記第２番目の１次側は、前記システムに対し、一つの遠隔装置より多くの装置に電力を供給し、複数の遠隔装置の配置に自由度を与えることができる。
【請求項１２】
１又は複数の取り外し可能な遠隔装置に電力を誘導結合で送るためのワイヤレス電力供給システムであって、
１の多相電磁界を生成する誘導性電力供給装置と；
第１電力移送面上で前記遠隔装置を第１の方向に支持するための第１位置、及び、第２電力移送面上で前記遠隔装置を第２の方向に支持するための第２位置との間の１の移動可能なクレードル（前記電力移送面の各々は、前記多相電磁界において前記遠隔装置を支持するものである）と、
前記クレードルの上又は内部に配置された複数の１次側（該複数の１次側の各々は前記誘導性電力供給装置に動作可能に接続され、前記多相電磁界の１相を生成し、前記複数の１次側は集合的に前記多相電磁場を生成し、前記遠隔装置と誘導結合するように配置されている）；
と有するワイヤレス電力供給システム。
【請求項１３】
前記複数の１次側は１つの軸のまわりに対照的に配置され、前記遠隔装置は少なくとも２つの異なる方向において、前記１次側と誘導的に結合する請求項１２に記載のワイヤレス電力供給システム。
【請求項１４】
１の遠隔装置に電力を誘導結合で送るためのワイヤレス電力供給システムであって、
１の誘導性電力供給装置を収容する剛性のハウジングと（但し、前記ハウジングは円筒形状である）；
１の電磁場を生成するための１次側と（但し；前記１次側は前記誘導性電力供給装置と電気的に接続されている）；
１の遠隔装置が取り外し可能に配置される１の電力移送マットと（但し、前記電力移送マットはフレキシブル基板を有しており、前記１次側は前記基板の上、又は、前記基板の中に配置され、フレキシブルであって、前記電力移送マットは、使用されないとき、巻き取り、前記ハウジングの回りに畳みこむことができる）、
を有するワイヤレス電力供給システム。
【請求項１５】
請求項１４に記載のワイヤレス電力供給システムであって、
更に、電気プラグを有するハウジングを有するワイヤレス電力供給システム。
但し、前記ハウジングは、前記プラグから分離され、電気的に接続されるものであって、前記剛性のハウジングは前記電気的プラグと前記誘導性１次側との間で電気的に接続されている。
【請求項１６】
１の遠隔装置を運搬し、電力を供給するためのバッグであって、
前記遠隔装置を受け入れるような形状を持つ仕切り室を含むバッグのアイテムと（前記バッグのアイテムは、前記装置が配置される一つのフレキシブルマットに開口されるように構成されている）；
バッグのアイテムの内部に収容された１の誘導性電力供給装置と（前記誘導性電力供給装置は電力線を有し、前記電力線はバッグのアイテムから延びることが可能である）；
バックのアイテム内部において前記仕切り室の隣の位置に配置される１次側（前記１次側は、前記誘導電力供給装置に動作可能に接続されて、前記誘導性電力供給装置から受け取る電力に応じて電磁場を生成する）；
を有するバッグ。
【請求項１７】
前記電力コードは巻き取り可能なコードとして規定されている請求項１６に記載のバッグ。
【請求項１８】
複数の仕切り室を有する請求項１６に記載のバッグ。
但し、前記１次側は前記複数の仕切り室に沿って延び、十分な大きさの電磁場を生成し、前記いずれの（複数）仕切り室に配置される(複数)遠隔装置に電力を供給する。
【請求項１９】
更に、複数の仕切り室と複数の１次側を有する請求項１６に記載のバッグ。
但し、前記複数の１次側の各々は前記（複数）仕切り室の１と唯一の組を作り、前記（複数）仕切り室の各々は電磁場を生成し、前記組になった仕切り室の中に配置される複数の遠隔装置に電力を供給する。
【請求項２０】
更に、フレキシブルマットからバッグのアイテムにバッグの構成を変える複数の完全ハンドルを有する請求項１６に記載のバッグ。